(57)【要約】  【課題】  本発明は、安全性を確保しつつ、施設毎の警備の人材を容易かつ安価に確保することが出来る警備システムを提供することを課題とする。【解決手段】本発明のボランティアによる施設の警備システムは、施設データを入力しうる施設端末と、ボランティアデータを入力しうるボランティア端末と、前記施設端末及びボランティア端末へ双方向送信可能に接続され、前記施設データ及びボランティアデータを管理するデータ管理サーバーと、を少なくとも具備してなる、ボランティアによる施設の警備システムであって、前記データ管理サーバーは、各ボランティア募集要項データの一部条件に該当するボランティア登録データを判別し、該判別したボランティア登録データを、該施設端末へ送信して、ボランティアの決定／否定情報の入力を要求することを特徴とする。  【選択図】  図１
2006302220.tif 000002
【特許請求の範囲】
【請求項１】
施設データを入力しうる施設端末と、ボランティアデータを入力しうるボランティア端末と、前記施設端末及びボランティア端末へ双方向送信可能に接続され、前記施設データ及びボランティアデータを管理するデータ管理サーバーと、を少なくとも具備してなる、ボランティアによる施設の警備システムであって、
前記施設データは、各施設担当者がボランティア募集を行うための各ボランティア募集要項データを含み、
前記ボランティアデータは、各ボランティア参加希望者がボランティア登録を行うための各ボランティア登録データを含み、
前記データ管理サーバーは、各ボランティア募集要項データの一部条件に該当するボランティア登録データを判別し、該判別したボランティア登録データを、該施設端末へ送信して、ボランティアの決定／否定情報の入力を要求することを特徴とする、ボランティアによる施設の警備システム。
【請求項２】
前記データ管理サーバーは、施設毎に、ボランティアシフト及び文字交換データを含む施設データを保有すると共に、
施設データの入力された施設ごとに施設認証ＩＤを付与し、
入力された各ボランティア登録データのうち、ボランティア決定情報の付与されたボランティア登録データ毎にボランティア認証ＩＤを付与し、
施設認証ＩＤ及びボランティア認証ＩＤの入力により、該施設データへのアクセス権限を付与することを特徴とする、請求項１記載のボランティアによる施設の警備システム。
【請求項３】
前記データ管理サーバーは、ボランティアの教育或いは訓練を行うための講習会スケジュールと、講習会スケジュールの進捗状況情報を含む講習会データを保有すると共に、
講習会データを、アクセス権限を有する施設端末及びボランティア端末からの要求に応じて送信することを特徴とする、請求項１または２記載のボランティアによる施設の警備システム。
【請求項４】
犯罪に関連する犯罪情報およびその地域情報を入力しうる犯罪情報端末を具備してなる、請求項１ないし３のいずれか記載のボランティアによる施設の警備システムであって、前記データ管理サーバーは、前記犯罪情報、その地域情報、およびその地域情報の区域データを管理すると共に、地域情報の区域データに含まれる施設端末及びボランティア端末へ、犯罪情報およびその地域情報を送信することを特徴とする、ボランティアによる施設の警備システム。
【発明の詳細な説明】
【技術分野】
【０００１】
本発明は、ボランティアによる施設の警備システムに関し、特に小学校等の学校施設や児童施設を含む公共施設の警備システムないしその管理システムに関するものである。
【背景技術】
【０００２】
近年、小学校等の学校施設や児童施設を含む公共施設への侵入事件や傷害事件が発生し、これら施設の警備システムの確立が求められている。
【０００３】
従来の警備システムとして、複数の警備システムを共通の通信回線を制御装置に接続して、警備切換装置と制御装置は、信号を送出する際に、通信回線が使用中であるか否かを検出し、回線が使用可能であることを判別して送信を行うもの存在した（例えば、特許文献１参照）。これは、複数の区域に設置された警備装置の各警備切換装置からの警備切換信号を、データを監視装置との間で送受信するための制御を行う制御装置と各切換装置との間で中継器を設けることなく共通の通信回線を使用して行うものであった。
【０００４】
しかし、上記システムをもってしても、出入り管理や侵入者の警備には施設毎の特定の常駐警備員を確保することが必要である。その施設毎の警備の人材確保は警備会社に一任されるため、手間や費用がかかるものであった。また、施設の属する地域における犯罪に関する情報ないし施設の情報に精通した警備員を確保することは困難であった。このため、施設毎に適した警備の人材確保を容易かつ安価に確保しうるとはいえなかった。
【特許文献１】特開平７−２００９７０号公報
【発明の開示】
【発明が解決しようとする課題】
【０００５】
本発明は、安全性を確保しつつ、施設毎の警備の人材を容易かつ安価に確保することが出来る警備システムを提供することを課題とする。
【課題を解決するための手段】
【０００６】
本発明は、上記課題を解決すべく下記（１）ないし（４）の手段を採用するものとしている。
（１）すなわち、本発明のボランティアによる施設の警備システムボランティアによる施設の警備システムは、施設データを入力しうる施設端末と、ボランティアデータを入力しうるボランティア端末と、前記施設端末及びボランティア端末へ、有線または無線回路を介して双方向送信可能に接続され、前記施設データ及びボランティアデータを管理するデータ管理サーバーと、を少なくとも具備してなる、ボランティアによる施設の警備システムであって、
前記施設データは、各施設担当者がボランティア募集を行うための各ボランティア募集要項データを含み、
前記ボランティアデータは、各ボランティア参加希望者がボランティア登録を行うための各ボランティア登録データを含み、
前記データ管理サーバーは、各ボランティア募集要項データの一部条件に該当するボランティア登録データを判別し、該判別したボランティア登録データを、該施設管理者がアクセス可能な施設端末へ送信して、該施設端末へ、ボランティア登録データ毎にボランティアの決定／否定情報の該施設端末からの入力を要求することを特徴とする。
【０００７】
（２）前記ボランティアによる施設の警備システムにおいて、
前記データ管理サーバーは、施設毎に、ボランティアシフト及び文字交換データを含む施設データを保有すると共に、
施設データの入力された施設ごとに施設認証ＩＤを付与し、
入力された各ボランティア登録データのうち、ボランティア決定情報の付与されたボランティア登録データ毎にボランティア認証ＩＤを付与し、
施設認証ＩＤ及びボランティア認証ＩＤの入力により、施設端末及びボランティア端末に、該施設データへのアクセス権限を付与するものとしてもよい。
【０００８】
（３）前記いずれかのボランティアによる施設の警備システムにおいて、
前記データ管理サーバーは、ボランティアの教育或いは訓練を行うための講習会スケジュールと、講習会スケジュールの進捗状況情報を含む講習会データを保有すると共に、
講習会データを、アクセス権限を有する施設端末及びボランティア端末からの要求に応じて、該入力端末へ送信するものとしてもよい。
【０００９】
（４）前記いずれかのボランティアによる施設の警備システムは、
犯罪に関連する犯罪情報およびその地域情報を入力しうる犯罪情報端末を具備してなるものであって、前記データ管理サーバーは、前記犯罪情報、その地域情報、およびその地域情報の区域データを管理すると共に、地域情報の区域データに含まれる施設端末及びボランティア端末へ、犯罪情報およびその地域情報を送信するものとしてもよい。
【発明の効果】
【００１０】
本発明は、上記手段を採用することによって、安全性を確保しつつ、施設毎の警備の人材を容易かつ安価に確保することが出来る。
【発明を実施するための最良の形態】
【００１１】
以下、本発明の警備システムを、実施形態例として示す各図と共に説明する。図１は、本発明のボランティアによる施設の警備システムの全体構成例の説明図であり、図２は、各種端末へ表示するメニュー選択画面例である。図２のメニュー選択画面での選択は、ボランティアデータへの登録（図３ないし図７）と、施設データへのアクセス（図８ないし図１５）と、犯罪情報データへのアクセス（図１６ないし図１９）といった、３つのデータへのアクセスに分かれる。換言すれば、データー管理サーバーは、前記３つのデータベースをデータとして管理（保有及び必要に応じて加工、送受信）を行うものである。
【００１２】
本システムの利用者は、少なくとも学校等の施設担当者と、ボランティアと、データー管理サーバーの管理者とを具備し、さらに国、自治体、警察、教育委員会当の各協力機関、及びＰＴＡ、及び地域住民を具備する。これら利用者は、本発明の警備システムを含む有線または無線のネットワークによって結ばれ、データ管理サーバーの各データベースを介して情報のやり取りを行う。
【００１３】
（ボランティアデータへの登録）
先ず、図３はデータ管理サーバーのデータベースのひとつたるボランティアデータへアクセスして、ボランティアデータの登録を行うフローチャート例である。図４ないし図６は、このボランティア登録の選択時における、ボランティア端末への各表示画面（それぞれ図３のＡ−１、Ａ−１−１、Ａ−１−１−１）例である。また図７は、データ管理サーバーにおけるボランティアデータの表示画面例である。具体的には、図２のメニュー選択にて「ボランティア登録」を選択したときの規約同意選択画面（Ａ−１）例が図４である。この規約「同意」後、同画面の「次へ」ボタンを選択したときのボランティアデータ（登録事項）入力画面（Ａ−１−１）例が図５である。このボランティアデータ入力後、同画面の「登録」ボタンを選択したときの登録完了表示（Ａ−１−１−１）例が図６である。図７は、この一連（図２、図４ないし図６）の登録を行ったときに登録されるデータのフォームであり、データ管理サーバーにて、各ボランティアデータが入力された上で図１のボランティアデータ内に保有管理される。
【００１４】
データ管理サーバーは、このボランティアデータのうち、地域情報（所在地、勤務希望地の住所或いは郵便番号）の一部記載を、後述する施設データの当該記載と比較して、共通する記載の含まれるボランティア参加希望者（データ登録者）を判別し、その一部情報（例えば、認証ＩＤ、氏名、連絡先、電子メールアドレス等）を施設データに送信する。このとき、複数のボランティア参加希望者を判別した場合には、共通項目の数、ボランティア参加希望者の精通地域、年齢、体力データによる数値ランク付けを行い、ランク付けの数値と共に施設端末へ送信する。
【００１５】
ボランティア参加は、データ管理サーバーの管理者、或いは施設管理者の希望により決定する。この決定は、データ管理サーバーから施設端末への「ボランティア参加希望者のボランティアデータ」の送信時或いはその後に、ボランティアの決定/否定情報の入力を施設端末へ要求し、これに対して施設端末から施設担当者が入力することによってボランティアの決定/否定情報をデータ管理サーバーへ送信することで行われる。
【００１６】
なお、ボランティア参加者が決定したときは、データ管理サーバーが、ボランティア参加希望者、つまりボランティア決定者のボランティアデータに対して、データ認証を行うためのボランティア認証ＩＤを付与する。認証ＩＤは例えば、数字列、文字列、これらの混合からなるもののほか、生体認証等の任意のものを用いることができる。また認証ＩＤには日付データの暗号化文字列を含み、定期的に認証ＩＤを強制更新するものとすることができる。
【００１７】
（施設データへのアクセス）
次に図８ないし図１５は、データベースのひとつたる施設データへのアクセスを示す表示画面例である。このうち図８、図１１、図１２は、ボランティア端末及び施設端末の両方に表示しうる共通画面であり、図９、図１３、図１４は少なくともボランティア端末に表示しうる画面であり、そして図１０は少なくとも施設端末に表示しうる画面である。
【００１８】
具体的には、図８は、図２のメニュー選択にてボランティア情報選択後における、ボランティア端末及び施設端末へ表示する認証ＩＤ入力（アクセス権限認証）画面（Ｂ−１）例である。図９は、図８にて認証認証ＩＤ入力によりボランティア決定者による施設データへのアクセスが認証された後における、ボランティア端末へ表示するメニュー画面（Ｂ−１−１）例である。図１０はその後、施設担当者による施設データへのアクセス（図８の表示およびＢ−１−２認証後）における、施設端末へ表示するメニュー画面（Ｂ−１−２）例である。図１１は、ボランティア決定者及び施設担当者による施設データへのアクセス（図９、図１０の表示後）における、ボランティア端末及び施設端末へ表示するボランティアシフト確認画面（Ｂ−１−１−１）例である。図１２は、ボランティア決定者による施設データへのアクセス（図９の表示後）における、ボランティア端末へ表示して施設端末へ送信しうる文字交換データの入力画面（Ｂ−１−１−３）例である。
【００１９】
図１３ないし図１５はそれぞれ、ボランティア決定者による講習会データへのアクセス（図９の表示後）における、講習会スケジュールの案内画面（Ｂ−１−１−２）例、ボランティア決定者による講習会データへのアクセスにおける、講習会スケジュールの案内画面（図１３）に応じた講習会登録の入力画面（Ｂ−１−１−２−１）例である。これらは講習会データベースへのアクセスによるものである。図１５は、ボランティア決定者による講習会データへのアクセスにおける、講習会登録の完了画面（Ｂ−１−１−２−１−１）例である。
【００２０】
（犯罪情報データへのアクセス）
図１６は、犯罪情報及び地域情報の通知のフローチャート例である。図１７乃至図１９はそれぞれ、図２のメニュー選択にて犯罪情報の選択後における、ボランティア端末、施設端末、及び犯罪情報端末へ表示するメニュー選択画面（Ｃ−１）例、犯罪情報通知者による犯罪情報データへのアクセスにおける、犯罪情報端末へ表示する区域データ登録画面（Ｃ−１）例、そして、犯罪情報通知者による犯罪情報データへのアクセスにおける、犯罪情報端末へ表示する犯罪情報の文字交換データの入力画面（Ｃ−１）例である。
【００２１】
（警備システムの全体構成）
本発明のボランティアによる施設の警備システムは、全体構成として少なくとも図１に示すように、施設データを入力しうる施設端末と、ボランティアデータを入力しうるボランティア端末と、前記施設端末及びボランティア端末へ、有線または無線回路を介して双方向送信可能に接続され、前記施設データ及びボランティアデータを管理するデータ管理サーバーと、を少なくとも具備してなる。さらに、犯罪に関連する犯罪情報およびその地域情報を入力しうる犯罪情報端末と、を具備してなることが好ましい。
【００２２】
（端末）
本発明に言う各端末は、下記入力端末、出力端末の双方を含む概念である。入力端末は、数値、記号又は文字列の入力手段を有し、これらの情報を処理端末のＣＰＵに与えるためのインターフェイスを言う。具体的には、キーボード、マウス、携帯電話端末、音声入力端末など、人間とのインターフェイスをとるものだけでなく、有線又は無線の伝送手段によるインターフェイス回路、伝達のための記録媒体、インターフェイスプログラムなど、他のプログラムや他のコンピュータなどとのインターフェイスをとるものを含む。この入力端末は、有線又は無線の伝送手段を介した自動伝送、あるいは、操作者によって記録媒体（マイクロディスク、ＣＤ、ＤＶＤ等）を介した手動伝達によって、各種データを入力、伝達するために用いられる。
【００２３】
出力端末は、データ管理サーバーから処理端末で受信した情報の出力信号を出力するものであり、画面表示端末や或いは印刷端末を具備する。出力端末によって達成される出力とは、この画面表示や印刷だけでなく、データとして他のデータベースやプログラムや端末に与えるデータ送信も含む。
【００２４】
（データ管理サーバー）
データ管理サーバーは、各種端末と連動してデータをプールするものであり、内臓又は別途接続された処理ＣＰＵと連動して動作し、各データをデータベース化する。端末及びデータ管理サーバー相互のデータ送信は、電話回線、インターネット回線、衛星通信回線等の有線又は無線の通信手段によって行われる。例えば、アクセス権限を持つ者が各種端末を利用して入力をおこなう際は、ブラウザを通じてサーバーから提供される各種フォームに必要なデータを入力すればいい。
【００２５】
データ管理サーバーは、各ボランティア募集要項データの一部条件に該当するボランティア登録データを判別し、該判別したボランティア登録データを、該施設管理者がアクセス可能な施設端末へ送信して、該施設端末へ、ボランティア登録データ毎にボランティアの決定／否定情報の該施設端末からの入力を要求する。
【００２６】
また、データ管理サーバーは、少なくとも施設毎のボランティアシフトを保有する。そして、施設データの入力された施設ごとに施設認証ＩＤを付与し、入力された各ボランティア登録データのうち、ボランティア決定情報の付与されたボランティア登録データ毎にボランティア認証ＩＤを付与する。そして、施設認証ＩＤ及びボランティア認証ＩＤの入力により、施設端末及びボランティア端末に、該施設データへのアクセス権限を付与する。
【００２７】
また、データ管理サーバーは、講習会データを保有し、講習会データを、アクセス権限を有する施設端末及びボランティア端末からの要求に応じて、該入力端末へ送信する（図１３ないし１５）。
【００２８】
また、データ管理サーバーは、犯罪情報データを管理し、地域情報の区域データに含まれる施設端末及びボランティア端末へ、犯罪情報およびその地域情報を送信する（図１６ないし１９）。
【００２９】
（各データベースのデータ）
ボランティアデータは、少なくとも、各ボランティア参加希望者がボランティア登録を行うための各ボランティア登録データ（ボランティアＩＤ、氏名、住所、連絡先電話番号、電子メールアドレス、経験年数等）（図５）と、ボランティア決定後のボランティア活動先施設データ（当該施設の施設ＩＤ等）を含む。これらは例えば図５に示す入力画面によりボランティア端末から入力され、図７に示すデータフォームへ入力登録される。またさらに、施設毎のボランティアシフト（図１１）及び施設毎の文字交換データ（例えば、図１２に示す電子メール送信メッセージ作成画面により作成されるもの）と、更に、講習会及びその登録データ（図１３、図１４等）とを含む。
【００３０】
施設データは、少なくとも、各施設担当者がボランティア募集を行うための各ボランティア募集要項データと、施設ＩＤ、施設の住所、名称、代表及び施設担当者、副担当者の氏名、代表及び施設担当者、副担当者の連絡番号、電子メールアドレス、緊急連絡、緊急時非難用情報と、を含む。
【００３１】
犯罪情報データは、犯罪の発生及び犯罪に関連する犯罪関連情報（近時の不審者（不審車）の有無、周辺環境の変化等）、その地域情報、およびその地域情報の区域データを含む。区域データは、例えば該当する地図情報であり、地域情報や犯罪関連情報をプロットしうるものであり、或いはプロットしたものを含む。
【００３２】
（本警備システムの主なメリット）
本実施例の警備システムによれば、従来の常駐警備と比べて、コストが約５分の１と極めて低いものである。このため複数のスタッフをも配置しうるものとなる。ここで特に、小学校等の児童施設においては、校門の常時監視と登下校時の声掛けが犯罪防止に重要な要素となる。これを万全に行うためには、警備員の複数名配置が（複数警備員の交互休憩、同時警備等により）有効となるものである。本実施例によれば、従来よりも安価でかつ警備会社による常駐警備と同等又はそれ以上の警備効果をあげうるものとなる。
【００３３】
また、ボランティア決定者のボランティア活動後も、定期的に現地（当該警備の施設）或いは別施設での講習会を行うことで、ボランティアによる警備の運営を適切に継続することもできる。さらに地域との連携を保つことができる。
【００３４】
上記の他に、ボランティアによる警備力の不安に対しては、朝礼紹介、表彰制度、配置後の講習会による教育を通じてボランティア活動のインセンティブや責任感を保持するものとしている。またボランティアのシフトや人材管理はデータ管理サーバーで一括して自動化を含みながら行うので、容易かつ確実に管理しうる。
【図面の簡単な説明】
【００３５】
【図１】本発明のボランティアによる施設の警備システムの全体構成例の説明図である。
【図２】ボランティア端末、施設端末、及び犯罪情報端末へ表示するメニュー選択画面例である。
【図３】ボランティアデータの登録のフローチャート例である。
【図４】図２のメニュー選択にてボランティア登録の選択後における、ボランティア端末へ表示する規約同意選択画面（Ａ−１）例である。
【図５】図３のボランティアの登録のフローにおける、ボランティア端末へ表示するボランティアデータ（登録事項）入力画面（Ａ−１−１）例である。
【図６】図３のボランティアの登録のフローにおける、ボランティア端末へ表示する登録完了画面（Ａ−１−１−１）例である。
【図７】データ管理サーバーにおける、ボランティアデータの表示画面例である。
【図８】図２のメニュー選択にてボランティア情報選択後における、ボランティア端末及び施設端末へ表示する認証ＩＤ入力（アクセス権限認証）画面（Ｂ−１）例である。
【図９】ボランティア決定者による施設データへのアクセス（図８の表示およびＢ−１−１認証後）における、ボランティア端末へ表示するメニュー画面（Ｂ−１−１）例である。
【図１０】施設担当者による施設データへのアクセス（図８の表示およびＢ−１−２認証後）における、施設端末へ表示するメニュー画面（Ｂ−１−２）例である。
【図１１】ボランティア決定者及び施設担当者による施設データへのアクセス（図９、図１０の表示後）における、ボランティア端末及び施設端末へ表示するボランティアシフト確認画面（Ｂ−１−１−１）例である。
【図１２】ボランティア決定者による施設データへのアクセス（図９の表示後）における、ボランティア端末へ表示して施設端末へ送信しうる文字交換データの入力画面（Ｂ−１−１−３）例である。
【図１３】ボランティア決定者による講習会データへのアクセス（図９の表示後）における、講習会スケジュールの案内画面（Ｂ−１−１−２）例である。
【図１４】ボランティア決定者による講習会データへのアクセスにおける、講習会スケジュールの案内画面（図１３）に応じた講習会登録の入力画面（Ｂ−１−１−２−１）例である。
【図１５】ボランティア決定者による講習会データへのアクセスにおける、講習会登録の完了画面（Ｂ−１−１−２−１−１）例である。
【図１６】犯罪情報及び地域情報の通知のフローチャート例である。
【図１７】図２のメニュー選択にて犯罪情報の選択後における、ボランティア端末、施設端末、及び犯罪情報端末へ表示するメニュー選択画面（Ｃ−１）例である。
【図１８】犯罪情報通知者による犯罪情報データへのアクセスにおける、犯罪情報端末へ表示する区域データ登録画面（Ｃ−１）例である。
【図１９】犯罪情報通知者による犯罪情報データへのアクセスにおける、犯罪情報端末へ表示する犯罪情報の文字交換データの入力画面（Ｃ−１）例である。
【図２】
2006302220.tif 000003
【図３】
2006302220.tif 000004
【図４】
2006302220.tif 000005
【図５】
2006302220.tif 000006
【図１７】
2006302220.tif 000007
【図１】
2006302220.tif 000008
【図６】
2006302220.tif 000009
【図７】
2006302220.tif 000010
【図８】
2006302220.tif 000011
【図９】
2006302220.tif 000012
【図１０】
2006302220.tif 000013
【図１１】
2006302220.tif 000014
【図１２】
2006302220.tif 000015
【図１３】
2006302220.tif 000016
【図１４】
2006302220.tif 000017
【図１５】
2006302220.tif 000018
【図１６】
2006302220.tif 000019
【図１８】
2006302220.tif 000020
【図１９】
2006302220.tif 000021